(57)【要約】【課題】  蓄電池の端子の高さに関係なく蓄電池の接続板カバーを兼用することが可能な構造とする。【解決手段】隣接する蓄電池の端子同士が接続体を介して取付けられ、前記端子および前記接続体の周囲を絶縁して保護するための蓄電池用接続板カバーにおいて、前記蓄電池用接続板カバーは４側面を囲繞する４つの側壁からなり、下面が開口した略箱形状であり、相対向する２側面の中央部には貫通孔が高さ方向に複数設けられており、該貫通孔にはそれぞれ止具が挿入され、該止具は端子同士を接続する接続板の下部にそれぞれ嵌着係合する位置とすることを特徴とする蓄電池接続体保護カバー。【選択図】図１
0003125687.tif 000002
【実用新案登録請求の範囲】
【請求項１】
隣接する蓄電池の端子同士が接続板を介して接続され、前記端子および前記接続板の周囲を絶縁して保護するための蓄電池用接続体保護カバーにおいて、前記蓄電池用接続体保護カバーは、上壁と４側面を囲繞する４つの側壁からなり、下面が開口した箱形状であり、相対向する２側面の中央部には貫通孔が高さ方向に複数設けられており、該貫通孔には接続体の下部に係合する止具が嵌合されてなることを特徴とする蓄電池用接続体保護カバー。
【考案の詳細な説明】
【技術分野】
【０００１】
本考案は、蓄電池の端子同士を接続するための接続体のカバー、特に端子の高さに関係なく装着可能とした蓄電池用接続体保護カバーに関する。
【背景技術】
【０００２】
蓄電池の用途として、蓄電池を単独で使用する場合と複数個の蓄電池を所望の電圧となる様に直列接続や並列接続もしくは直並列接続に組み合わせて（以下、組電池と称する）使用する場合とがある。後者としては、例えば電力貯蔵用や電気自動車、フォークリフト車などがあり、この場合は２Ｖまたは１２Ｖの蓄電池を複数個接続した組電池として使用される。該組電池は、隣接する蓄電池の端子同士を、接続板と呼ばれる金属製のプレートを用いて電気的に接続して作製される。
【０００３】
図３は従来の接続体保護カバーの斜形図、図４はこの接続体保護カバーを蓄電池に接続した状態の正面図である。複数の蓄電池５は、蓄電池の端子５１同士が近接するように隣設され、両蓄電池の端子５１に金属製の接続体６を固定することにより、両蓄電池５は電気的に接続される。蓄電池の端子５１がボルトで構成されていれば、該ボルトと螺合するナット７により蓄電池の端子５１に接続体６を容易に固定することができる。そして、該端子５１と接続体６が直接露出しないように蓄電池接続体保護カバー１によって保護されている。該接続体保護カバー１の上面には貫通孔４が設けられており、貫通孔を設けることにより接続体保護カバー１を施したまま蓄電池の電圧測定等を行うことが可能となっている。また、接続体保護カバー１の中央内部には、相対向する面に突出部３１が設けられているおり、該突出部３１を接続体６下面に嵌着係合することで取り付けられ、押付けて装着・引き上げて取り外されるものである。接続体保護カバー１をするのは、蓄電池の端子５１がそのまま露出していると端子５１が異物との接触による損傷や、他の導電部材と接触して短絡する事故も招きかねないからである。
【０００４】
これら接続体保護カバーとしては、実開昭５５−１３８７６４号公報や実公昭３６−２０５５３号公報などで種々知られているが、略一定の長さ寸法および形状の接続体に限り使用されているため、多品種の接続板に対し各々の接続板カバーを作製しなければならず、接続板カバー作製のコストがかかるという問題があった。
【０００５】
そこで、接続体保護カバーの中間部を蛇腹式形状とするもの（特許文献１）などか提案されている。
【０００６】
【特許文献１】実開昭５４−１０４９３４号公報
【考案の開示】
【考案が解決しようとする課題】
【０００７】
しかしながら、特許文献１に記載されるように接続体保護カバーの中間部を蛇腹式形状とすることで湾曲や長さ寸法に自在性が得られ、多品種の接続板に一品種の接続体保護カバーを使用することが可能としているが、蓄電池は品種によって端子の高さが異なる場合があり、接続体保護カバーの中間部を蛇腹式形状とした場合にも多品種の接続板に一品種の接続体保護カバーでは対応できない場合が生じてくる。従って、蓄電池の端子の長さに合わせ夫々専用の接続体保護カバーが必要となり、接続体保護カバーのコストがかってしまうのが現状である。
【０００８】
このような背景の下、蓄電池の端子の高さに関係なく蓄電池の接続体保護カバーを１個で兼用することが可能な構造とすることが望まれる。
【課題を解決するための手段】
【０００９】
隣接する蓄電池の端子同士が接続板を介して接続され、前記端子および前記接続板の周囲を絶縁して保護するための蓄電池用接続体保護カバーにおいて、前記蓄電池用接続体保護カバーは、上壁と４側面を囲繞する４つの側壁からなり、下面が開口した箱形状であり、相対向する２側面の中央部には貫通孔が高さ方向に複数設けられており、該貫通孔には接続体の下部に係合する止具が嵌合されてなることを特徴とするものである。
【考案の効果】
【００１０】
本考案は、蓄電池の端子の高さに関係なく蓄電池の接続体保護カバーを兼用することが可能であり、同時に、蓄電池の接続体保護カバーを兼用することで安価に作製することが可能である。
【考案を実施するための最良の形態】
【００１１】
以下に本考案の実施の形態を図１〜図２を用いて説明する。図１は、本考案一実施形態を示す接続体保護カバーの斜形図、図２は本考案一実施形態を示す接続体保護カバーのＡ−Ａ′線断面図であり、端子が短い場合（ａ）、長い場合（ｂ）を示したものである。
なお、同一符号は同一構成部材を示す。
【００１２】
図１に示す通り、本考案において隣接する蓄電池５の端子５１同士を、該端子５１に接続板６を嵌合してナット７で螺着し、その後、該端子５１等に接続体保護カバー１を備えることは従来と変わりはない。本考案によれば、この接続体保護カバー１の相対向する２つの側面に貫通孔２を設け、それに嵌合する止具３を用いることで接続端子５１の高さに関係なく蓄電池５の接続体保護カバー１を兼用することを可能にしたことが従来と相違する。
【００１３】
図１において１は接続体保護カバー、２は接続体保護カバー１の相対向する２側面に施された貫通孔、３は貫通孔２に勘合する止具、３１は止具３の先端に設けられた突出部、４は測定孔、５は蓄電池、５１は蓄電池の端子、６は蓄電池の端子同士を接続するための接続体、７は接続体を固定するためのナットである。
【００１４】
図１に示す通り、本考案の接続体保護カバー１は、上壁と、この４側面を囲繞する４つの側壁からなり、下面は開口しており、底面を除いた略箱形状をしている。接続体保護カバー１の４側面を囲繞する４つの側壁のうち、相対向する２つの側壁の中央部には複数の貫通孔２が形成され、該貫通孔２は高さ方向に等間隔に４個形成されている。そして、該貫通孔２には貫通孔２と勘合する略同一形状の止具３が挿入される。そして、接続体保護カバー１の上面には、上下に貫通した測定孔４が設けられている。測定孔４を設けることにより、蓄電池に接続体保護カバー１を施した状態で、蓄電池の電圧や内部抵抗を測定することが可能である。なお、測定孔４の位置は蓄電池の端子の真上となるように設けられている。
なお、本考案の接続体保護カバー１本体は合成樹脂製であり、金型成型で一体形成が可能である。
また、本考案では接続体保護カバー１の相対向する２つの側面に形成される貫通孔２の形状を四角形としたが、円形や三角形など形状は問わず、それに対応する止具３を略同一形状とすれば良い。また、該貫通孔の数を４個としたが、この数に限定されるものではない。
また、本考案の接続体保護カバー１は蓄電池５を直列接続、並列接続どちらの場合にも使用できることは言うまでも無い。
【００１５】
次に、図２に示す通り、接続体保護カバー１を蓄電池５に勘合した場合のＡ−Ａ´線断面図であり、（ａ）は蓄電池５から突出する端子５１が短い場合、（ｂ）は蓄電池５から突出する端子５１が長い場合である。以下、蓄電池５から突出する端子が短い場合（ａ）を例にとり説明する。
【００１６】
以下、蓄電池５の端子接続から接続体保護カバー１を施すまで順を追って説明する。
まず、蓄電池５の蓋５２には螺子部５１１を有する端子５１が形成されており、該端子５１に接続体６を嵌合する。なお、接続体６には端子５１と嵌合する略同一形状の取付孔（図示せず）を両端の中央端部に有している。また、該接続板６は金属製であり、蓄電池の端子５１同士を電気的に接続可能とするものである。次に、端子５１に接続体６を嵌合した後、端子５１上部からナット７を挿入し、端子５１とナット７を螺着嵌合することで接続体６を固定した。なお、接続体は金属製のプレートを用いたが、導電性を有するものであれば構わない。
【００１７】
そして、蓄電池５の端子５１同士は接続体６を介して接続され、それぞれの端子５１と接続体６等を接続体保護カバー１によって被覆した。接続体保護カバー１は、上壁と、この４側面を囲繞する４つの側壁からなり、下面は開口しており、底面を除いた略箱形状をしている。接続体保護カバー１の相対向する２つの側壁には高さ方向には複数の貫通孔２が形成されており、この実施形態では、保護カバー１の開口する下面を蓄電池の上面に当接して被覆した時に、一番下に形成した貫通孔２が接続体６の下方に位置しており、該貫通孔２に止具３を挿入嵌合して、該止具３を接続体６の下面に係合させた。従って、接続体保護カバー１は、開口した下面と貫通孔２に挿入する止具３の２点に支持されて、固定される。該接続体保護カバーは、側壁を押付けて装着・引き上げて取り外される。接続体保護カバー１を端子５１等に被覆するのみでは振動等によって容易に落下する恐れがあり、振動等によって落下した場合には保護カバーとしての役目を果たさないが、貫通孔２には接続体６の下部に係合する止具３を嵌合することで、開口した下面と止具３の２点による固定となり振動等によって落下する心配はない。接続体保護カバーの相対向する２つの側壁には複数の貫通孔２を形成しており、端子の長さによって止具３の位置を自由に変えることが可能であり、どの端子５１の長さにおいても接続体保護カバー１を共通に使用することが可能である。即ち、蓄電池５から突出する端子５１が短い場合は、端子同士を接続する接続板６の高さも低くなるので、貫通孔２に挿入する止具３の位置も同様に低い位置となる。逆に、蓄電池５から突出する端子５１が長い場合は、端子同士を接続する接続体６の高さも高くなるので、貫通孔２に挿入する止具３の位置も同様に高い位置となる。
なお、止具３自体も先端には突出部３１が形成されており、外力等によって容易に取れる心配はない。なお、該止具は柔軟性がある樹脂で形成されているので、無理嵌めしても変形・破損等の恐れはない。
【図面の簡単な説明】
【００１８】
【図１】本考案一実施形態を示す接続体保護カバーの斜形図。
【図２】本考案一実施形態を示す接続体保護カバーのＡ−Ａ′線断面図における端子が短い場合（ａ）、長い場合（ｂ）。
【図３】従来の接続体保護カバーの斜形図。
【図４】従来の接続体保護カバーを蓄電池に接続した状態の正面図。
【符号の説明】
【００１９】
１    接続体保護カバー
２    貫通孔
３    止具
３１  突出部
４    測定孔
５    蓄電池
５１  端子
６    接続板
７    ナット
【図１】
0003125687.tif 000003
【図２】
0003125687.tif 000004
【図３】
0003125687.tif 000005
【図４】
0003125687.tif 000006